(57)【特許請求の範囲】
【請求項１】
図形データと図形に関係する属性データを含む施設図面データを記憶するファイル装置と、
表示画面上に表示しているアイコンを操作することにより前記ファイル装置から該当する施設図面データを格納するメモリと、
公共料金を管理する料金システムから、料金システムデータをデータ入力装置又はネットワークを介して取得し前記メモリ及び属性データを記憶する属性ファイルに格納する料金データ変換手段と、
該属性ファイルに格納された料金システムデータの使用者の住所と住宅毎の住所を格納した住宅ファイルの住所との照合を行う住所照合手段と、
前記住所照合手段にて照合された属性ファイルの一貫番号を住宅ファイルの座標情報に対応させて表示する一貫番号発生手段と、を有し、
前記料金データ変換手段は、前記料金システムから定期的に前記料金システムデータを取得し、前記属性ファイル内の前記属性データを新たに取得した前記料金システムデータの内容で更新する図面管理装置。
【請求項２】
前記一貫番号及び図面情報を前記表示画面上に表示する表示処理手段とを設けた請求項１に記載の図面管理装置。
【請求項３】
前記図形データは、配管，配線系統図，地図とを重ね合わせた、又は系統図，地図とを重ね合わせて構成され、前記属性データは、図形に関する町名，使用者名，管種，住所を含んで構成される請求項１又は２に記載の図面管理装置。
【請求項４】
前記該当する施設図面データの図形が前記表示画面上に表示され、該表示された図形内の施設を指定すると該当する施設属性情報を前記表示画面上に表示する請求項１に記載の図面管理装置。
【発明の詳細な説明】
【技術分野】
【０００１】
本発明は、水道，ガス，電気，電話の使用者情報などの施設図面をディジタル情報化して管理する図面管理装置に関する。
【背景技術】
【０００２】
水道，ガス，電気，電話の使用者情報などの施設図面は、その用途毎に階層構造化されており、それぞれの施設情報や地図情報はベクトル情報、つまり図形情報で表現されている。
【０００３】
図形情報は、構成点座標を記憶している線図形情報，文字コードと表示座標位置や傾きを記憶している文字図形情報，記号コードと表示座標位置や傾きを記憶している記号図形情報に分類される。
【０００４】
これら図面情報は、目的に応じて階層が組み合わされてディスプレイ上に表示される。一方、これらの図面情報だけでは施設に関する情報全てを表現できないため、施設図面上の該当する施設図形に対応した施設に関する属性情報を記述している。
【０００５】
〔特許文献１〕には、公共的必需物の使用遍歴によって日常生活の状況変化を把握し、この把握結果を図面管理装置に入力し、管理することによって、需要家の生活状況変化および地理的位置を含め迅速で容易に認識，検索できるようにした図面管理装置が記載されている。そして、予め水道検針メータ毎に固有に決められた番号、例えば水栓番号等を用いると、その需要家が存在する施設図面番号とその図面内のどの家かまで特定できることが記載されている。
【０００６】
【特許文献１】特開平７−１２１６７７号公報
【発明の開示】
【発明が解決しようとする課題】
【０００７】
上述した従来の技術を用いて使用者を管理する場合、〔特許文献１〕に記載のように、水栓番号等一貫番号で使用者情報が管理されており、一貫番号と地図が対応付けられていれば、使用者を地図上で容易に検索できる。
【０００８】
しかし、従来の技術では、事前に該当する使用者の一貫番号が地図上のどの位置かを記憶しておく必要があり、一貫番号と位置情報の対応を整備しておく必要がある。
【０００９】
本発明の目的は、料金システムで管理されている使用者情報と住宅地図等にある住宅情報に含まれる住所情報を照合することにより、地図上に一貫番号を発生させる図面管理装置を提供することにある。
【００１０】
本発明の他の目的は、図面管理装置に定期的に料金システムからデータを取得することにより、追加，更新情報が反映され、最新情報で管理できる図面管理装置を提供することにある。
【課題を解決するための手段】
【００１１】
上記目的を達成するために本発明は、料金システムのデータを属性ファイルに変換する手段と、属性ファイルと住宅ファイルの住所を照合し一貫番号を発生させる手段と、該一貫番号を発生させる手段により発生された一貫番号と地図を重ね合わせ表示させる手段を設けたものである。
【００１２】
料金システムのデータを属性ファイルに変換する手段は、料金システムからデータをデータ入力装置やネットワーク装置により取得し、属性ファイルへ変換入力する。一貫番号を発生させる手段は、属性ファイルと住宅ファイルの住所を照合し、照合された属性ファイルの一貫番号と住宅ファイルの座標情報により一貫番号を発生させるものである。
【００１３】
発生した一貫番号と地図を重ね合わせ表示させる手段は、一貫番号及びその他の図面情報をディスプレイ装置に表示する。
【発明の効果】
【００１４】
本発明によれば、料金システム情報と住宅地図情報から、使用者一貫番号を地図上に発生させることができ、使用者と地図の対応付けができるので、使用者の検索が容易となる。また、定期的に料金システム情報と取り込むことにより、追加，更新情報が反映できる為、最新使用者情報が管理できる。
【発明を実施するための最良の形態】
【００１５】
本発明の一実施例を図１から図９により説明する。図１は、本実施例の図面管理装置の基本構成図である。
【００１６】
図１に示すように、図面管理装置は、中央処理装置２０１（ＣＰＵ２０１ともいう）にメインメモリ２０２，ファイル装置２０３，図面出力装置２０４，ディスプレイ２０５，キーボード２０６，マウス２０７，データ入力装置２０８，ネットワーク装置２０９が接続されて構成されている。
【００１７】
図２は、図１に示す中央処理装置２０１とファイル装置２０３の詳細を示した図である。
【００１８】
図２に示すように、ＣＰＵ２０１は、キーボード２０６，マウス２０７と接続された操作入力部１１１と、操作入力部１１１，データ入力装置２０８，ネットワーク装置２０９，メインメモリ２０２と接続された料金データ変換手段１１２と、料金データ変換手段１１２，メインメモリ２０２と接続された住所照合手段１１３と、住所照合手段１１３，メインメモリ２０２と接続された一貫番号発生手段１１４と、一貫番号発生手段１１４，メインメモリ２０２，ディスプレイ２０５と接続された表示処理手段１１５で構成される。
【００１９】
ディスプレイ２０５のディスプレイ表示面１０１は、目的の図面を検索するための機能選択をするマウス操作用のアイコン領域１０２，マウス操作により検索された図面を表示する図面表示領域１０３，図面中の図形データと対応した属性情報を表示する属性表示領域１０４で構成されている。
【００２０】
ファイル装置２０３は、属性ファイル１２１，地図ファイル１２２，住宅ファイル１２３で構成されている。
【００２１】
ファイル装置２０３には、施設図面データが格納されている。施設図面データには、地図ファイル１２２に格納され、地図や使用者の一貫番号，座標などを記憶している図形データと、属性ファイル１２１に格納される図形に関係する町名，使用者名，管種，住所などの文字，数値で表現される属性情報がある。図形データは、自治体が管理する地図データや市販の住宅地図データ等を変換して作成される。ここで、使用者情報とは、水道，ガス，電気等の使用者に関する情報である。
【００２２】
施設図面は、図３に示すように複数図面から成り、各々分割して図形データファイルを作る。図形データは図４に示すように直交座標系で示され、図面サイズでそのＸ，Ｙ軸方向の長さＸ0，Ｙ0が決まる。
【００２３】
このように、階層構造化された施設図面情報はＸ，Ｙ座標値で表現したベクトル情報、つまり図形情報としてディジタル化してあり、このＸ，Ｙ座標値は緯度経度との相対関係があり、ユーザには緯度経度情報として表現される。
【００２４】
これらの図形データは、図５（ｂ）〜図５（ｄ）に示すように、道路，家枠，管路等を階層分離したデータ記憶構造となっている。これらのデータを必要に応じて各階層を重ね合わせて図５（ａ）に示すような図形データにする。なお、データ記憶構造は、配管，配線系統図，地図を重ね合わせる、或いは系統図，地図を重ね合わせる階層構造としてもよい。
【００２５】
一方、属性ファイル１２１の属性情報は、図６（ａ）に示すように、例えば、属性番号，一貫番号，口径，管種，使用者名，住所から構成され、施設毎に設定されている。住宅ファイル１２３の住宅情報は、例えば住所，氏名，Ｘ座標，Ｙ座標から構成され、住宅毎に設定されている。
【００２６】
ディスプレイ２０５（ＣＲＴ２０５ともいう）上に図面を表示するには、オペレータがマウス２０７を操作してカーソルを移動し、ディスプレイ表示面１０１上のアイコン領域１０２に表示してある機能選択用のアイコンを指定する。例えば「図面読出し」のアイコンを指定すると、中央処理装置２０１は、ファイル装置２０３から該当する図面データ（図形データとその属性情報）を検索し、メインメモリ２０２に一時格納する。
【００２７】
メインメモリ２０２は、画面データの検索や編集などの処理を実行するためのプログラムや処理中のデータを記憶している。メインメモリ２０２に一時記憶している図面データは、ＣＲＴ２０５の表示領域である有効表示座標に合うように、ＣＰＵ２０１でデータ編集された後にＣＲＴ２０５に表示される。オペレータは、この表示画面により目的の図面内容を知ることができる。
【００２８】
なお、細かな部分を把握する場合は部分拡大して表示する。このため、例えばマウス２０７によりカーソルを移動させて図面表示領域１０３から矩形の任意領域を対角線上の両端で指定して任意縮尺に拡大あるいは縮小させる。
【００２９】
具体的にはメインメモリ２０２に記憶されている該当する図面データの一部を、ＣＰＵ２０１を介して拡大，縮小編集してＣＲＴ２０５に表示する。ファイル装置２０３に格納されている施設図面データや、メインメモリ２０２に一時記憶している図面データは、図面出力装置２０４により紙やポリエステルフィルムに印刷される。
【００３０】
このように、ディスプレイ装置に表示されている施設図面は、ユーザの指定により任意の縮尺への変更や表示位置の任意方向への移動が可能である。この為、該当の使用者位置を地図と重ね合わせた図面を画面へ表示させることは容易に行える。
【００３１】
オペレータが、マウス２０７を操作してディスプレイ２０５上に表示した地図上に一貫番号を発生させる場合を、図７の流れ図により説明する。
【００３２】
ステップＳ６０１で、マウス２０７にて「一貫番号発生」のアイコンを選択指令すると、操作入力部１１１は選択指令を受付け、料金データ変換手段１１２を起動する。ステップＳ６０２で、料金データ変換手段１１２は、料金システムデータをデータ入力装置２０８又はネットワーク装置２０９から取得し、メインメモリ２０２へ格納し、属性ファイル１２１へ記憶させる。
【００３３】
住所照合手段１１３は、属性ファイル１２１のデータと住宅ファイル１２３のデータをメインメモリ２０２へ記憶させる。属性ファイルは、図６（ａ）に示す構成であり、住所ファイルは図６（ｂ）に示す構成である。ステップＳ６０３で、住所照合手段１１３は、メインメモリ２０２上の属性ファイルと住宅ファイルの住所情報を照合する。
【００３４】
この時、図６（ａ）で示す属性ファイルと、図６（ｂ）で示す住所ファイルの住所欄での住所表現方法の違いを考慮し、変換，照合を行う。ステップＳ６０４で、住所照合手段１１３の照合の結果、住所が一致した場合は、ステップＳ６０５で、一貫番号発生手段１１４は、メインメモリ２０２に記憶した属性ファイルの一貫番号を、住宅ファイルのＸ，Ｙ座標値、又は緯度経度から図形データとして発生させ、メインメモリ２０２及び地図ファイル１２２へ格納する。
【００３５】
ステップＳ６０６で、表示処理手段１１５は、メインメモリ２０２に一時格納されている地図デ−タと一貫番号図形データを、ディスプレイ表示面１０１上の図面表示領域１０３へ表示させる。
【００３６】
図８は、ディスプレイ表示面１０１上の図面表示領域１０３に地図表示７０１，一貫番号発生表示７０２を表示した例を示す。
【００３７】
このように、料金システム情報と住宅地図情報から、使用者一貫番号を地図上に発生させることができ、使用者と地図の対応付けができるので、使用者の検索が容易となる。
【００３８】
また、図面管理装置に定期的に料金システムからデータを取得する場合について、図９の流れ図により説明する。
【００３９】
ステップＳ６０１で、マウス２０７にて「一貫番号発生」のアイコンを選択指令すると、操作入力部１１１は選択指令を受付け、料金データ変換手段１１２を起動する。
【００４０】
ステップＳ８０１で、料金データ変換手段１１２は、料金システムデータをデータ入力装置２０８又はネットワーク装置２０９から取得し、メインメモリ２０２へ格納し、属性ファイル１２１からメインメモリ２０２へ読出した属性ファイル情報と一貫番号を比較する。属性ファイルに一貫番号が既にある場合は、ステップＳ８０２で、水栓番号以外の料金システムデータで属性ファイルデータを更新する。
【００４１】
ステップＳ８０３で、発生フラグがある場合は、次のデータを比較し、発生フラグが無い場合には、地図上に一貫番号がないため、住所照合手段１１３を起動する。属性ファイルに一貫番号がない場合は、新規であるため、ステップＳ６０２で、料金システムデータを属性ファイルに取り込み、住所照合手段１１３を起動する。
【００４２】
ステップＳ６０３で、住所照合手段１１３は、属性ファイル１２１のデータと住宅ファイル１２３のデータをメインメモリ２０２に記憶させ、メインメモリ２０２上の属性ファイルと住宅ファイルの住所情報を照合する。ステップＳ６０４で、住所照合手段１１３にて照合の結果、住所が一致した場合は、ステップＳ６０５で、一貫番号発生手段１１４は、メインメモリ２０２に記憶した属性ファイルの一貫番号を、住宅ファイルのＸ，Ｙ座標値、もしくは緯度経度から図形データとして発生させ、メインメモリ２０２及び地図ファイル１２２へ格納する。
【００４３】
ステップＳ８０４で、発生フラグ情報を属性ファイルに追加する。表示処理手段１１５は、ステップＳ６０６で、メインメモリ２０２に一時格納されている地図デ−タと一貫番号図形データをディスプレイ表示面１０１上の図面表示領域１０３へ表示させる。
【００４４】
このように、定期的に料金システム情報と取り込むことにより、追加，更新情報が反映できる為、最新使用者情報が管理できる。
【図面の簡単な説明】
【００４５】
【図１】本発明の一実施例である図面管理装置の構成図。
【図２】本実施例の中央処理装置とファイル装置の詳細を示した図。
【図３】ファイル装置に格納されている図面構成を示す図。
【図４】ファイル装置に格納されている図形座標位置を示す図。
【図５】図形データの階層構成図。
【図６】属性ファイル，住宅ファイル構成一例を示す図。
【図７】本実施例の処理フローを示す図。
【図８】一貫番号発生表示画面の一例を示す図。
【図９】定期更新時の処理フローを示す図。
【符号の説明】
【００４６】
１０１  ディスプレイ表示面
１０２  アイコン領域
１０３  図面表示領域
１０４  属性表示領域
１１１  操作入力部
１１２  料金データ変換手段
１１３  住所照合手段
１１４  一貫番号発生手段
１１５  表示処理手段
１２１  属性ファイル
１２２  地図ファイル
１２３  住宅ファイル
２０１  ＣＰＵ
２０２  メインメモリ
２０３  ファイル装置
２０４  図面出力装置
２０５  ディスプレイ
２０６  キーボード
２０７  マウス
２０８  データ入力装置
２０９  ネットワーク装置
【図１】
0004951556.tif 000002
【図２】
0004951556.tif 000003
【図３】
0004951556.tif 000004
【図４】
0004951556.tif 000005
【図５】
0004951556.tif 000006
【図６】
0004951556.tif 000007
【図７】
0004951556.tif 000008
【図８】
0004951556.tif 000009
【図９】
0004951556.tif 000010